(57)【特許請求の範囲】
【請求項１】
血液などの検体を収容した検体容器を容器ホルダーに穿設された挿入穴内に保持するようにした検体検査装置の検体容器支持装置において、前記挿入穴内に筒状のスリーブが挿抜自在に装填され、このスリーブ内に挿抜自在に装填される弾性的な保持手段を介して前記検体容器が、当該検体容器に対するサンプリングノズルの挿抜方向に沿って挿抜自在に保持されることを特徴とする検体検査装置の検体容器支持装置。
【請求項２】
前記スリーブは、挿入穴の内径よりもやや小径、かつ、軸線方向の長さが前記挿入穴のそれよりも長く設定されることにより、その上端が挿入穴の口縁よりも突出するように構成されるとともに、前記弾性的な保持手段の弾性反発力は、前記サンプリングノズルが検体容器内に挿入され、前記サンプリングノズルの先端がこの検体容器の底に接触してさらに降下する場合でも最終的には前記検体容器の上部が前記スリーブの上端縁に接当しないように調整されている請求項１に記載の検体検査装置の検体容器支持装置。
【請求項３】
前記弾性的な保持手段は、圧縮コイルばね、合成樹脂素材の弾性材またはゴムのいずれかである請求項１または２に記載の検体検査装置の検体容器支持装置。
【発明の詳細な説明】
【０００１】
【発明の属する技術分野】
この発明は、例えば血液などの検体を検査する装置において、極めて微量な検体量でありながらも、所期の各種測定を十分可能にする検体検査装置に供される検体容器の支持装置の改良に関する。
【０００２】
【従来の技術】
この種血液などの検体を検査するための検体検査装置には、図８に示されるように、検体を収容してこれを検体検査装置に装填するための検体容器０５が採用される。検体検査装置に装填された検体容器０５内の検体０１は、先端０３３ａをこの検体容器０５に挿抜させる抽出手段の一例としての、例えばサンプリングノズル０３３によって抽出され所定の測定部に搬送される。そして、周知のとおり、この検体検査装置の各種測定は、一般には、２０μＬ前後の、極めてわずかな検体量で賄われている。
【０００３】
ところで、従来の検体容器の支持装置は、図示されるように、検体容器ホルダー０６に穿設された挿入穴０２に、直にこの検体容器０５が装填される形態が採用されていた。そして、検体容器０５そのものは、その口縁に一体的に設けられているフランジ０３によって、この挿入穴０２の開口縁０６Ａに支持される形で装填姿勢が保たれている。
【０００４】
【発明が解決しようとする課題】
しかしながら、この従来のサンプリングノズルを検体容器内に挿抜させて検体を抽出するには、なかなか難しい課題がある。
まず、上記従来の検体容器支持装置を検討してみると、何よりも供される検体量が圧倒的に微量であること。そして、この微量な検体をサンプリングノズルで抽出するに当たって、このサンプリングノズルを検体容器の底面に接触するまで挿入することは、このサンプリングノズルに衝突負荷を与えてしまい、作動機器に損傷を与えるおそれがあった。
【０００５】
その理由は、検体容器は市販品が採用されているので、製品精度にどうしてもばらつきがあるからである。併せて、前記口縁に一体的に設けられているフランジ０３によって、検体容器ホルダー０６の挿入穴０２の開口縁０６Ａに支持されて、検体容器０５と検体容器ホルダー０６とが、言ってみると一体物であるような支持形態が採用されているからである。
【０００６】
また、この製品精度のばらつきを、このサンプリングノズルの降下量の自動制御で吸収することも考えられる。しかし、この場合は、必然的にサンプリングノズルの下降最下位位置の極めて微量な上下調整が要求され、大変高度の制御技術、高精度の設計、機器の開発が必要となり、コスト面でとても現実に供することができなくなる。
【０００７】
これらのことを勘案すると、このサンプリングノズルの降下最下位位置はどうしても余裕を見て、検体容器の底から多少上方で止めざるを得なかった。つまり、検体容器０５の底とサンプリングノズル０３３の先端０３３ａとの間にデッドスペースＤが形成されてしまっていた。その結果、検体抽出の最終段階では、検体容器の底にどうしても幾ばくかの検体が残存してしまい、所期の極めて微量な検体量でありながらも、所期の各種測定を十分可能にするという技術的な課題がうまく達成されないきらいがあった。
【０００８】
本発明は、検体容器の底とサンプリングノズルの先端との間に、デッドスペースが生じないようにすることを課題とする。
【０００９】
【課題を解決するための手段】
請求項１の発明は、血液などの検体を収容した検体容器を容器ホルダーに穿設された挿入穴内に保持するようにした検体検査装置の検体容器支持装置において、前記挿入穴内に筒状のスリーブが挿抜自在に装填され、このスリーブ内に挿抜自在に装填される弾性的な保持手段を介して前記検体容器が、当該検体容器に対するサンプリングノズルの挿抜方向に沿って挿抜自在に保持されることを特徴としている。
【００１０】
この手段によれば、サンプリングノズルの先端が、この検体容器の底に接触しても、この接触衝撃は弾性的に吸収される。したがって、サンプリングノズルには衝突負荷が生じず、このサンプリングノズルの作動機器にも損傷を与えるおそれがなくなる。その結果、サンプリングノズルの先端を検体容器の底に接触するまで降下でき、デッドスペースをなくすことができる。
【００１１】
そして、上記手段においては、検体容器の挿入穴内に、筒状のスリーブが挿抜自在に装填されているので、前記検体容器のサンプリングノズルの降下によってもたらされる上下方向の動きがより一層スムーズに行われ、サンプリングノズルに対する衝突負荷が格段に軽減される。
【００１２】
したがって、この発明は次の効果を有する。
サンプリングノズルの先端を検体容器の底に接触するまで下降でき、従来構造のような、デッドスペースはなくなるので、２０μＬと言ったオーダーの極めて微量な検体であっても、これを余すことなく最後まで、うまく抽出できる。その結果、必要検体量を最小限まで減らすことができる。
【００１３】
そして、この発明において、前記スリーブは、挿入穴の内径よりもやや小径、かつ、軸線方向の長さが前記挿入穴のそれよりも長く設定されることにより、その上端が挿入穴の口縁よりも突出するように構成されるとともに、前記弾性的な保持手段の弾性反発力は、前記サンプリングノズルが検体容器内に挿入され、前記サンプリングノズルの先端がこの検体容器の底に接触してさらに降下する場合でも最終的には前記検体容器の上部が前記スリーブの上端縁に接当しないように調整されているのが好ましい（請求項２）。
【００１４】
また、前記弾性的な保持手段は、圧縮コイルばね、合成樹脂素材の弾性材またはゴムのいずれかを採用するのが好ましい。特に、圧縮コイルばねが好適である。圧縮コイルばねの場合には、その上端部分で検体容器の底部分を嵌合保持することができるため、簡単な構造で、しかも市販品を採用できて廉価でありながら、検体容器の保持を的確に行えるからである。
【００１５】
【００１６】
【００１７】
【発明の実施の形態】
発明の実施の形態を、図面の記載を参照にしながら説明する。図１〜図７は、この発明の一つの実施の形態を示すもので、本発明に係る検体検査装置の検体容器支持装置を全血血球免疫測定装置に採用した例に基づいて説明する。
【００１８】
まず、図２は、この発明の全血血球免疫測定装置の一例を、側面パネルを取り外した状態で示す斜視図である。図３は、この全血血球免疫測定装置の全体の構成を概略的に示す図である。これらの図において、１は装置ケースで、その前面部２側には、検体セット部３が内方に凹んだ状態で形成されている。この検体セット部３には、検体としての全血４を収容した検体容器５をセットするための、検体容器ホルダー６が収容される。
【００１９】
この検体容器ホルダー６は、図２，図４にも示されるように、検体容器５を保持するための、径の異なる複数個の挿入穴６ａ（図例では４個）が備わっている。検体容器５の大きさに応じて、適宜に挿入穴６ａを選択できるようにするためである。また、この検体容器ホルダー６は、図７に示すように、その底の中心を通る縦軸線Ｐを中心に回転自在に保持されている。さらに、水平な軸線（図外）中心にも揺動自在に保持されている。前記検体容器ホルダー６を、検体セット部５内方から手前側に傾斜させて引き出し、さらに、これを前記縦軸線Ｐを中心に回転させることによって、必要とする挿入穴６ａを手前側に位置させる。検体容器５を前記挿入穴６ａに挿抜しやすくするためである。
【００２０】
そして、図２，図４に示されるように、装置ケース１の側面部７の下方には、前面部２に近い側から順に、免疫測定を行う免疫測定部８、血球測定を行う血球計数測定部９が、前面側から見て一直線状に配置されている。この血球計数測定部９の下方には、複数の電磁弁１０ａからなる電磁弁部１０が設けられている。また、側面部７の上方には、図２，図３に示されるように、検体セット部５と血球計数測定部９との間を直線的に移動する、プローブユニット部１１が設けられている。
【００２１】
また、図３において、１２は定注器、１３は希釈液容器、１４は溶血試薬容器、１５はポンプであり、これら１３〜１５はいずれも電磁弁部１０に接続されている。さらに、１６はポンプ１５に接続された廃液容器である。
【００２２】
前記免疫測定部８は、この実施の形態においては、ＣＲＰ（急性期蛋白であるＣ−反応性蛋白）を測定するように構成されている。すなわち、図３，図７に示されるように、ＣＲＰを測定するために形成される試薬受容セル１７と、光照射部１７ａおよび光検出部１７ｂを備えるとともに、前記試薬受容セル１７にフロー測光セル流路１７ｃを介して一連に連なって設けられたフロー測光セル１７Ａとから形成されている。そして、この試薬受容セル１７の内部に収容される液を適宜攪拌できるように構成されている。１８，１９，２０はＣＲＰ測定に用いられる試薬を収容した容器で、それぞれ、溶血試薬（以下、Ｒ１試薬という）、緩衝液（以下、Ｒ２試薬という）、抗ヒトＣＲＰ感作ラテックス免疫試薬（以下、Ｒ３試薬という）が収容されている。
【００２３】
そして、前記試薬受容セル１７および試薬容器１８〜２０は、図３，図４，図６に示されるように、検体セット部５における検体容器５のセット位置に対して、一直線状に配置されている。また、これら試薬受容セル１７および試薬容器１８〜２０は、ソレノイド２１の作動で、上下方向に揺動する蓋２２によって、一括して開閉されるように構成されている。２３は例えばペルチェ素子よりなる電子冷却器２４を備えた、試薬容器ホルダーの一例としてのクーラーボックスで、図示例では試薬Ｒ２，Ｒ３が収容されている。
【００２４】
次に、前記血球計数測定部９は、この実施の形態においては、電気抵抗法により、ＷＢＣ（白血球数）、ＲＢＣ（赤血球数）、ＰＬＴ（血小板数）、ＭＣＶ（赤血球容積）、Ｈｃｔ（ヘマトクリット値）を、また、シアンメトヘモグロビン法における吸光光度法によりＨｇｂ（ヘモグロビン濃度）などをそれぞれ測定するように構成されている。すなわち、図３において、２５はＷＢＣ／Ｈｇｂ血球計数測定セル（以下、単にＷＢＣセルという）で、ＷＢＣを測定するための測定電極２５ａ，２５ｂおよびＨｇｂを測定するための光照射部２５ｃ、受光部２５ｄを備えている。２６はＲＢＣ／ＰＬＴ血球計数測定セル（以下、単にＲＢＣセルという）で、ＲＢＣおよびＰＬＴ測定するための測定電極２６ａ，２６ｂを備えている。これらのセル２５，２６は、ＣＲＰ測定部８における試薬受容セル１７および試薬容器１８〜２０と一直線になるように配置されている。また、ＷＢＣセル２５は、ノズル３３（後述する）洗浄のための廃液チャンバを兼ねている。
【００２５】
さらに、プローブユニット部１１は、例えば次のように構成されている。すなわち、図２〜図６において、２７はノズルユニットで、このノズルユニット２７は、垂直に立設されたベース部材２８に沿うようにして、水平方向に設けられたタイミングベルト２９によって、水平方向に往復移動できるように構成されている。３０は、タイミングベルト２９を駆動するためのモータ、３１は、ノズルユニット２７に設けられた被ガイド部材３２をガイドする一対のガイド部材で、これらはベース部材２８に適宜の部材を介して取り付けられている。
【００２６】
３３はサンプリングノズルで、図２，図３、図５〜図７に示されるように、ノズルユニット２７内をタイミングベルト３４によって上下方向に移動する、ノズル保持体３５に取り付けられている。このサンプリングノズル３３の先端３３ａ側（下端側）は、ノズルユニット２７内に設けられたノズル洗浄器３６を挿通し、先端部外周が洗浄されるように構成されている。３７はタイミングベルト３４を駆動するためのモータである。３８はサンプリングノズル３３がホームポジション位置（定位置）にあるか否かを検出するセンサである。
【００２７】
そして、図３において、３９は装置の各部を総合的に制御し、併せてＣＲＰ測定部８および血球計数測定部９からの出力を用いて各種の演算を行う、制御・演算装置としてのマイクロコンピュータ（ＭＰＵ）である。４０はＭＰＵ３９からの指令に基づいて電磁弁部１０、プローブユニット部１１のモータ３０，３７などに駆動信号を送るドライバである。４１はＣＲＰ測定部８および血球計数測定部９からの出力信号を処理してＭＰＵ３９に送る信号処理部である。また、前記ＭＰＵ３９には、図示しないが、ここにおいて処理されて得られる結果などを表示する装置で、例えばカラーディスプレイ、そして出力装置としてのプリンタなどが接続されている。
【００２８】
なお、図３において、点線は、検体４や各種の試薬などの流れを示す。また、やや太い一点鎖線は、制御信号を示す。さらに、細い一点鎖線は、測定によって得られる信号の流れを示している。
【００２９】
また、図７に示されるように、前記フロー測光セル１７Ａの出口側流路１７ｄには、液移動用の定注器１７ｅが三方切替弁（電磁弁）１０ｂを介して連通連結されている。この出口側流路１７ｄの端末は、図３に示されるように、前記ポンプ１５を介して前記廃液容器１６に接続される。
【００３０】
さらに、前記検体容器５、希釈液容器１３、溶血試薬容器１４、試薬受容セル１７、フロー測光セル１７Ａ、フロー測光セル流路１７ｃ、出口側流路１７ｄ、試薬容器１８〜２０、サンプリングノズル３３等は、ガラス又は四フッ化エチレン樹脂、あるいはステンレス鋼など、少なくとも耐化学薬品性に優れた素材が採用される。また、耐熱性を備えた素材であれば、なお望ましい。
【００３１】
なお、図２，図４，図５中の４２は、前記溶血試薬（Ｒ１試薬）を収容するための試薬容器１８を保持する試薬ホルダーである。
【００３２】
上記のように構成された全血血球免疫測定装置において、検体容器５の支持装置は、以下のように構成されている。
図１〜図３，図５，図７に示されるように、前記検体容器ホルダー６に穿設された前記挿入穴６ａ内には、断面ドーナツ形で、内周面を平滑に仕上げたスリーブ４３が挿抜自在に装填されている。このスリーブ４３は、この挿入穴６ａの内径よりもやや小径で、かつ、軸線方向の長さがこの挿入穴６ａのそれよりもやや長く設定されて、上端４３Ａがこの挿入穴６ａの口縁６ｂよりも上方に突出するように構成されている。
【００３３】
このスリーブ４３内には、このスリーブ４３の内径よりも小さな外径を備え、かつ、スリーブ４３の全長の約５／６ほどの長さを備えてなる圧縮コイルばね４４が、挿抜自在に装填されている。この圧縮コイルばねの上端部分に前記検体容器５の底部分が挿抜自在に嵌合挿入され、検体４が収容されている状態でも常時検体容器５の上部は、前記スリーブ４３の上縁よりもやや上方に突出するように、弾性的に支持されている。
【００３４】
また、この圧縮コイルばね４４の弾性反発力と、前記検体容器５の前記スリーブ４３から上方への突出量との相対関係は、前記サンプリングノズル３３がこの検体容器５内に挿入され、その先端３３ａがこの検体容器５の底に接触して、さらに降下する場合でも、最終的にはこの検体容器５の口縁に一体的に形成されたフランジ５Ａが前記スリーブ４３の上端縁に接当しない範囲で調整されている。
【００３５】
次に、上記全血血球免疫測定装置の動作について説明する。
まず、図２に示される測定キーＳ（前記検体セット部３の開閉扉がスイッチ機能を備え、これを閉止することで、ＯＮ作動され、逆に開くことでＯＦＦ作動される。）をオンすると、定位置にあるサンプリングノズル３３は、Ｒ２試薬（試薬容器１９）の位置に移動し、Ｒ２試薬を吸引する。この試薬吸引の後、サンプリングノズル３３は、ＷＢＣセル２５位置に移動し、サンプリングノズル洗浄器３６に洗浄液としての希釈液が供給されて、サンプリングノズル３３の外面が洗浄される。その後、サンプリングノズル３３はＲ２試薬の位置に復帰する。
【００３６】
次いで、サンプリングノズル３３は、Ｒ１試薬（試薬容器１８）の位置に移動し、Ｒ１試薬を吸引する。この試薬吸引の後、サンプリングノズル３３はＷＢＣセル２５位置に移動し、サンプリングノズル洗浄器３６に希釈液が供給されて、サンプリングノズル３３の外面が洗浄される。その後、サンプリングノズル３３はＲ１試薬の位置に復帰する。
【００３７】
そして、サンプリングノズル３３は、検体セット位置（検体容器５）に移動し、検体容器５内の検体（全血）３をＣＲＰ測定のために吸引する。この検体吸引の後、サンプリングノズル３３はＷＢＣセル２５位置に移動し、サンプリングノズル洗浄器３５に希釈液が供給されて、サンプリングノズル３３の外面が洗浄される。その後、サンプリングノズル３３は検体の位置に復帰する。
【００３８】
そして、サンプリングノズル３３は、試薬受容セル１７位置に移動し、検体４、Ｒ１試薬、Ｒ２試薬を試薬受容セル１７内に吐出する。
【００３９】
そして、前記吐出を終わったサンプリングノズル３３は、ＷＢＣセル２５位置に移動し、内部に残留している検体４などをＷＢＣセル２５内に吐出した後、その内外を希釈液で洗浄される。
【００４０】
前記洗浄が終わったサンプリングノズル３３は、検体セット位置（検体容器５）に移動し、検体容器５内の検体４をＣＢＣ測定のために吸引する。この検体吸引の後、サンプリングノズル３３はＷＢＣセル２５位置に移動し、サンプリングノズル洗浄器３６に希釈液が供給されて、サンプリングノズル３３の外面が洗浄される。
【００４１】
前記洗浄が終わったサンプリングノズル３３は、ＷＢＣセル２５内に検体４を吐出する一方、希釈液容器１３内の希釈液が、電磁弁部１０を介してＷＢＣセル２５内に所定量注入され、ＣＢＣ検体の一次希釈が行われる。
【００４２】
ＷＢＣセル２５位置にあるサンプリングノズル３３は、前記一次希釈されたＣＢＣ検体を所定量吸引する。引き続き、ＲＢＣセル２６に移動し、前記吸引した一次希釈されたＣＢＣ検体を、このセル２６に吐出する。時を同じくして、希釈液容器１３内の希釈液が、電磁弁部１０を介して、ＲＢＣセル２６内に所定量注入され、ＣＢＣ検体の二次希釈が行われる。
【００４３】
上記一次希釈、二次希釈を終わった後、溶血剤容器１４内の溶血剤が、電磁弁部１０を介して、ＷＢＣセル２５内に所定量注入され、ＷＢＣとＨｇｂの測定が行われる。一方、ＲＢＣセル２６では、ＲＢＣとＰＬＴの測定が行われ、そのときのデータは信号処理部４１を経て、ＭＰＵ３９に取り込まれる。
【００４４】
前記測定が終わると、ＷＢＣセル２５とＲＢＣセル２６は希釈液で洗浄される。
【００４５】
上述したように、血球計数測定部９においてＣＢＣ測定が行われている期間中（約６０秒間）は、試薬受容セル１７内において、検体４、Ｒ１試薬、Ｒ２試薬の間で溶血反応が進行し、併せて妨害物質が除去される。
【００４６】
そして、ＣＢＣ測定が終わると、ＲＢＣセル２６の位置にいたサンプリングノズル３３がＲ３試薬（試薬容器２０）の位置に移動し、Ｒ３試薬を吸引する。この試薬吸引の後、サンプリングノズル３３は、試薬受容セル１７位置に移動し、Ｒ３試薬を試薬受容セル１７内に吐出する。これによって、Ｒ３試薬が、前記検体４、Ｒ１試薬、Ｒ２試薬の反応液内に混入される。
【００４７】
そして、試薬受容セル１７において前記液が十分に攪拌され、免疫反応が生じてＣＲＰ測定が行われ、そのときのデータは、信号処理部４１を経てＭＰＵ３９に取り込まれる。前記測定が終わると、試薬受容セル１７は希釈液で洗浄され、すべての測定が終わる。
【００４８】
前記Ｒ３試薬、検体４、Ｒ１試薬、Ｒ２試薬の攪拌は、以下のようにして行われる。図３，図７に示されるように、前記三方切替弁（電磁弁）１０ｂを、前記定注器１７ｅと前記フロー測光セル１７Ａとが連なるように、切り替えておき、定注器１７ｅを作動させる。
【００４９】
この定注器１７ｅの作動によって、この定注器１７ｅ内の空気が、前記出口側流路１７ｄに出たり入ったりする。その結果、前記試薬受容セル１７内に充填されているＲ３試薬、検体４、Ｒ１試薬、Ｒ２試薬は、試薬受容セル１７、フロ−測光セル１７Ａ、そして両者を繋ぐフロー測光セル流路１７ｃの間をゆききする。この作動を数回繰り返すことによって、前記の液の十分な攪拌が行われるのである。
【００５０】
前記ＭＰＵ３９では、血球計数測定部９で行われたＣＢＣ測定によって得られたデータに基づいて、ＲＢＣ（赤血球数）、赤血球容積（ＭＣＶ）、などの測定値が得られる。また、ＭＰＵ３９では、ＣＲＰ測定部８で行われたＣＲＰ測定によって得られたデータに基づいて、所定時間当たりの吸光度変化を、あらかじめ既知濃度の血清（又は血漿）より求めておいた検量線から、全血中のＣＲＰ濃度が得られる。
【００５１】
この場合、ＣＲＰ測定については、ＣＢＣ測定と同様に、検体４として抗凝固剤添加の全血を用いているため、この全血を用いることによって生ずる、血漿成分容積誤差を補正する必要がある。そこで、この全血血球免疫測定装置では、ＣＢＣ測定によって得られるＲＢＣ（赤血球数）と赤血球容積（ＭＣＶ）とからヘマトクリット値（Ｈｃｔ）を求め、このヘマトクリット値を用いて、ＣＲＰ測定によって得られる全血中のＣＲＰ濃度を、下記の補正式によって補正し、血漿中のＣＲＰ濃度を求めるのである。
【００５２】
すなわち、全血中のＣＲＰ濃度をＡとし、ヘマトクリット値をＢとすると、血漿中のＣＲＰ濃度Ｃは、
Ｃ＝Ａ×１００／（１００−Ｂ）
なる式によって求められる。
【００５３】
前記ＭＰＵ３９によって得られた各測定値は、例えばＭＰＵ３９に内蔵されたメモリに記憶される一方、図外表示装置に項目別に表示されたり、図外プリンタによって出力される。
【００５４】
そして、上述したように、この全血血球免疫測定装置においては、ＣＲＰ測定部８において、溶血および妨害物質除去反応を起こさせている間に、ＣＢＣ測定部９において、血球測定を行うようにしている。したがって、ＣＲＰ測定およびＣＢＣ測定のトータル時間を短縮できる。併せて前述したＣＲＰ測定によって得られる結果を、ＣＢＣ測定によって得られる結果によって行う補正をスムーズに行える。
【００５５】
また、前記挿入穴６ａに挿入保持される検体容器５は、前記サンプリングノズル３３を降下させ、この検体容器５の底に接触させても、また、それ以上に多少、さらに降下されるような事態に立ち至っても、この接触衝撃は、前記圧縮コイルばね４４が、その弾性反発力に抗して収縮することで吸収、かつ、緩和され、サンプリングノズル３３に接触負荷を掛けることがなくなった。
【００５６】
このように、サンプリングノズル３３を検体容器５の底に接触させても、このサンプリングノズル３３には接触負荷が掛からないので、その状態のままで検体を抽出できることになり、従来の装置に見られるような前記デッドスペースＤをうまくなくすことができる。この結果、必要とされる検体４の量を最小限まで減少できる。
【００５７】
【００５８】
【００５９】
【００６０】
【００６１】
なお、前記スリーブ４３は、ガラス又は四フッ化エチレン樹脂、あるいはステンレス鋼など、少なくとも耐化学薬品性に優れた素材が採用される。また、耐熱性を備えた素材であれば、なお望ましい。さらに、圧縮コイルバネ４４も、金属製である必要はなく、合成樹脂を素材にしたものも採用でき、併せて耐化学薬品性に優れた素材であればさらに好都合である。
【００６２】
【図面の簡単な説明】
【図１】  この発明に係る検体検査装置の検体容器支持装置を採用した全血血球免疫測定装置の実施の形態の一例を示し、検体容器の弾性的な支持状態を部分的に拡大して示した要部の一部切欠き拡大縦断面図である。
【図２】  前記全血血球免疫測定装置を、側面パネルを取り外した状態で示す概観図である。
【図３】  前記全血血球免疫測定装置の全体の構成を概略的に示す説明図である。
【図４】  前記全血血球免疫測定装置の要部の説明図で、検体セット部、免疫測定部、血球測定部の配置関係を説明する概略平面図である。
【図５】  前記全血血球免疫測定装置の要部の説明図で、検体セット部、免疫測定部、血球測定部とサンプリングノズルとの配置関係を説明する概略側面図である。
【図６】  前記全血血球免疫測定装置の要部の説明図で、図５中Ａ−Ａ線縦断面図である。
【図７】  前記全血血球免疫測定装置の要部の説明図で、検体セット部、免疫測定部、血球測定部とサンプリングノズルとの配置関係を説明する概略説明図である。
【図８】  従来の構成を示す要部の拡大縦断説明図である。
【符号の説明】
４…検体、５…検体容器、５Ａ…フランジ、６…検体容器ホルダー、６ａ…挿入穴、３３…サンプリングノズル、３３ａ…先端、４３…スリーブ、４３Ａ…スリーブの上端、４４…弾性的な支持手段（圧縮コイルばね）。
【図１】
0003776235.tif 000002
【図２】
0003776235.tif 000003
【図３】
0003776235.tif 000004
【図４】
0003776235.tif 000005
【図５】
0003776235.tif 000006
【図６】
0003776235.tif 000007
【図７】
0003776235.tif 000008
【図８】
0003776235.tif 000009